【手続補正書】
【提出日】平成25年11月14日(2013.11.14)
【手続補正１】
【補正対象書類名】特許請求の範囲
【補正対象項目名】請求項４
【補正方法】変更
【補正の内容】
【請求項４】
前記繰り返しの過程は、
給糸口を第二編地の側に逃がした状態としてから、第二編地が係止される針床に対向する針床で、第一編地における前記境界側端部の二つの編目を重ね合わせる工程Ａと、
第二編地の側に逃がしておいた給糸口を第一編地の側に向かって、工程Ａで形成した重ね目を超える位置まで移動させ、再び給糸口を第二編地の側に向かって移動させる間に重ね目に続く第一伏目を形成する工程Ｂと、
給糸口を第二編地の側に配置したまま、第二編地が係止される針床に対向する針床で、第二編地における前記境界側端部の二つの編目を重ね合わせる工程Ｃと、
給糸口を第一編地の側に向かって移動させる間に工程Ｃで形成した重ね目に続く第二伏目を形成する工程Ｄと、
を備えることを特徴とする請求項３に記載の編地の接合方法。
【手続補正２】
【補正対象書類名】特許請求の範囲
【補正対象項目名】請求項６
【補正方法】変更
【補正の内容】
【請求項６】
前記繰り返しの過程は、
給糸口を第二編地の側に逃がした状態としてから、第一編地が係止される針床で、第一編地における前記境界側端部の二つの編目を重ね合わせる工程Ａ´と、
第二編地の側に逃がしておいた給糸口を第一編地の側に向かって、工程Ａ´で形成した重ね目を超える位置まで移動させ、再び給糸口を第二編地の側に向かって移動させる間に重ね目に続く第一伏目を形成する工程Ｂ´と、
給糸口を第一編地の側に向かって移動させ、給糸口を第一編地の側に逃がした状態としてから、第二編地が係止される針床で、第二編地における前記境界側端部の二つの編目を重ね合わせる工程Ｃ´と、
給糸口を第二編地の側に向かって、工程Ｃ´で形成した重ね目を超える位置まで移動させ、再び給糸口を第一編地の側に向かって移動させる間に重ね目に続く第二伏目を形成する工程Ｄ´と、
を備えることを特徴とする請求項５に記載の編地の接合方法。
【手続補正３】
【補正対象書類名】明細書
【補正対象項目名】０００２
【補正方法】変更
【補正の内容】
【０００２】
従来から、横編機で独立して二つの編地を編成し、それら編地のウエール方向端部同士を付き合わせた状態で伏目処理により繋ぎ合わせることが行われている。例えば、図８（Ａ）に示す身頃２と袖３，４を有するセーター１を編成する場合、図８（Ｂ）に示すように、衿ぐりの位置まで編成した身頃２と、この身頃２とは独立して編成した衿部２０と、を接合することがある。その他、図８（Ｃ）に示すように、右袖口部３０から筒状に編成を開始し、左袖４の端部まで編成すると共に、この編地とは独立して編成した左袖口部４０を編成し、これらを接合することもある。これは、一般に、編地の編み出し部の方が、編み終わり部よりも伸縮性に優れるという特性があるため、セーター１のネックホールや袖口を編み出し部により形成したいというニーズがあるからである。
【手続補正４】
【補正対象書類名】明細書
【補正対象項目名】００１０
【補正方法】変更
【補正の内容】
【００１０】
本発明編地の接合方法の一形態として、第一伏目と第二伏目を裏目としても良い。その場合、繰り返しの過程で、第一伏目または第二伏目を形成した後、次の伏目を形成する前に、給糸口を移動させることで、先に形成した伏目から給糸口に延びる編糸を、その先に形成した伏目（裏目）の表側に交差させてから次の伏目を形成することが好ましい。具体的には、繰り返しの過程で以下の工程を行うと良い。
［工程Ａ］給糸口を第二編地の側に逃がした状態としてから、第二編地が係止される針床に対向する針床で、第一編地における前記境界側端部の二つの編目を重ね合わせる。
［工程Ｂ］第二編地の側に逃がしておいた給糸口を第一編地の側に向かって、工程Ａで形成した重ね目を超える位置まで移動させ、再び給糸口を第二編地の側に向かって移動させる間に重ね目に続く第一伏目を形成する。
［工程Ｃ］給糸口を第二編地の側に配置したまま、第二編地が係止される針床に対向する針床で、第二編地における前記境界側端部の二つの編目を重ね合わせる。
［工程Ｄ］給糸口を第一編地の側に向かって移動させる間に工程Ｃで形成した重ね目に続く第二伏目を形成する。
【手続補正５】
【補正対象書類名】明細書
【補正対象項目名】００１２
【補正方法】変更
【補正の内容】
【００１２】
本発明編地の接合方法の一形態として、第一伏目と第二伏目を表目としても良い。その場合、繰り返しの過程で、第一伏目または第二伏目を形成した後、次の伏目を形成する前に、給糸口を移動させることで、先に形成した伏目から給糸口に延びる編糸を、その先に形成した伏目（表目）の裏側に交差させてから次の伏目を形成することが好ましい。具体的には、繰り返しの過程で以下の工程を行うと良い。
［工程Ａ´］給糸口を第二編地の側に逃がした状態としてから、第一編地が係止される針床で、第一編地における前記境界側端部の二つの編目を重ね合わせる。
［工程Ｂ´］第二編地の側に逃がしておいた給糸口を第一編地の側に向かって、工程Ａ´で形成した重ね目を超える位置まで移動させ、再び給糸口を第二編地の側に向かって移動させる間に重ね目に続く第一伏目を形成する。
［工程Ｃ´］給糸口を第一編地の側に向かって移動させ、給糸口を第一編地の側に逃がした状態としてから、第二編地が係止される針床で、第二編地における前記境界側端部の二つの編目を重ね合わせる。
［工程Ｄ´］給糸口を第二編地の側に向かって、工程Ｃ´で形成した重ね目を超える位置まで移動させ、再び給糸口を第一編地の側に向かって移動させる間に重ね目に続く第二伏目を形成する。
【手続補正６】
【補正対象書類名】明細書
【補正対象項目名】００１４
【補正方法】変更
【補正の内容】
【００１４】
また、本発明編地は、少なくとも前後一対の針床を有し、前後の針床の少なくとも一方が左右にラッキング可能で、前後の針床間で編目の目移しが可能な横編機を用いて編成された編地であって、独立して編成された編地からなる第一編地および第二編地と、両編地を伏目処理にて接合する伏目処理部と、を備える。この本発明編地の伏目処理部は、同じ編糸で交互に連続して形成される第一伏目と第二伏目とからなる。第一伏目は、第一編地のウエール方向端部の編目に重ねられ、第二伏目は、第二編地のウエール方向端部の編目に重ねられる。そして、本発明編地では、第一伏目と第二伏目とを繋ぐ渡り糸により第一編地と第二編地のウエール方向端部同士が突き合わせた状態で接合されている。
【手続補正７】
【補正対象書類名】明細書
【補正対象項目名】００２１
【補正方法】変更
【補正の内容】
【００２１】
図１には、身頃２の前側編地の編目Ａ〜Ｆと、衿部２０の前側編地の編目α〜ζとが前針床（以下、ＦＢ）に係止され、身頃２の後側編地の編目Ｇ〜Ｌと衿部２０の後側編地の編目η〜μとが後針床（以下、ＢＢ）に係止される様子が示されている。身頃２と衿部２０とは別々の給糸口から給糸される通常の編糸で編成される。この状態から、身頃２と衿部２０の前編地同士を身頃２や衿部２０で使用した給糸口とは別の給糸口から給糸される弾性糸により接合すると共に、その給糸口とは異なる給糸口から給糸される弾性糸により身頃２と衿部２０の後編地同士を接合する。接合の順番は、丸の中に示される数字の順番に従う。なお、図１中の『Ｐ＋数字』、『Ｑ＋数字』は、重ね目に続いて新たに形成される編目を示す。
【手続補正８】
【補正対象書類名】明細書
【補正対象項目名】００２４
【補正方法】変更
【補正の内容】
【００２４】
［第一実施形態］
第一実施形態では、ＦＢの編幅方向に隣接して係止される編目α〜ζからなる衿部２０の前側編地（以下、第一編地１００とする）と、編目Ａ〜Ｆからなる身頃２の前側編地（以下、第二編地２００とする）とを、裏目からなる伏目により接合する例を図２〜４に基づいて説明する。図２〜４の「Ｓ＋数字」は編成工程の番号を、矢印は給糸口の移動方向や目移しの方向を、「Ｋ」は給糸口の移動に伴いニットを行うことを示す。また、図中の○は針床に係止される編目を、Ｖ字は掛け目を、●は各編成工程において編成される編目を、◎は重ね目を、▼は給糸口を、×は掛け目を針床から外すことを意味する。また、図中の重ね目に対する符合は、『Ａ／α』のように表す。この場合、編目ＡがＢＢ側に、編目αがＦＢ側となるように重ねられた重ね目を示す。なお、説明の便宜上、編地は天竺とした。